(57)【特許請求の範囲】
【請求項１】
複数種類の項目について、現在の設定情報を表示する表示手段と、
上記項目の設定内容を変更可能な状態に設定する設定内容変更許可手段と、
上記設定内容変更許可手段に応答して上記変更可能になった項目を上記表示手段に指示し、周囲と異なる表示形態で変更項目を表示する変更項目表示手段と、
上記表示手段の表示画面に対するタッチ状態を検知するタッチ検知手段と、
設定内容の変更が許可された状態で上記変更項目表示手段によって表示された上記変更項目がタッチ操作された際に、上記タッチ検知手段によって検知された変更項目の位置を変更する位置変更手段と、
上記位置変更手段によって上記変更項目の位置が変更された状態で、上記タッチ検知手段によって所定の操作の実施が検出された場合に上記変更項目に関して選択可能な複数の撮影パラメータを上記表示手段に表示する選択肢表示手段と、
上記選択肢表示手段によって選択された複数の撮影パラメータの中から、所定のタッチ操作によって選択された撮影パラメータに設定内容を変更する設定内容変更手段と、
を具備し、
上記設定内容変更許可手段による許可されていない場合には上記複数種類の項目の選択のみを許可して、撮影パラメータの変更を禁止し、
上記設定内容変更許可手段による許可がされている場合にはダブルタップ操作又はタッチ＆ドラッグ操作で上記選択された項目における上記撮影パラメータの変更を許可するようにしたことを特徴とする撮像装置。
【請求項２】
上記設定内容変更許可手段は、操作釦の押下げ操作、上記表示手段の表示画面に対するダブルタップ操作又は上記表示手段に対するタッチ＆ドラッグ操作であることを特徴とする請求項１に記載の撮像装置。
【請求項３】
上記設定内容変更手段は、上記表示手段の表示画面に対するダブルタップ操作又は上記表示手段の表示画面に対するタッチ＆ドラッグ操作後に、上記表示手段の表示画面に表示された撮影パラメータ列に更にタッチ＆ドラッグ操作が行われた場合に上記選択肢表示手段はタッチ撮影パラメータ列のページ送りを行うことを特徴とする請求項１に記載の撮像装置。
【請求項４】
上記タッチ検知手段によって検出された位置が複数の撮影パラメータが表示されたタッチ撮影パラメータ列であって、上記表示手段の表示画面に表示された撮影パラメータ列に更にタッチ＆ドラッグ操作が行われた場合に上記選択肢表示手段はタッチ撮影パラメータ列のページ送りを行うことを特徴とする請求項１に記載の撮像装置。
【請求項５】
ファインダ接眼部を介して被写体像を観察可能なファインダ手段と、
上記ファインダ接眼部に物体が接近したことを検知する接眼検知手段と、
上記接眼検知手段によって物体が接近したことを検知した際には、上記タッチ操作の受け付けを禁止する禁止手段と、
具備することを特徴とする請求項１に記載の撮像装置。
【発明の詳細な説明】
【技術分野】
【０００１】
本発明は、タッチパネル式の表示部を有する撮像装置に関する。
【背景技術】
【０００２】
カメラ本体に大型の液晶（ＬＣＤ）パネルを配置し、このＬＣＤパネルに撮影画像や再生画像を表示させるカメラが販売されている（例えば、特許文献１、２参照）。また、このＬＣＤパネルにタッチパネルを配置させると共にＬＣＤパネルに撮影制御のための項目を表示させ、この表示された項目を表示画面上でタッチ操作により指定し、設定を変更するようにしたカメラが販売されている（例えば、特許文献３、４参照）。
【０００３】
さらに、タッチパネル式のＬＣＤパネルでアイコンや釦等を表示し、タッチ操作により設定する場合、操作用の画面が切り替わると、ユーザが気付かず誤動作してしまう場合がある。これを解決するために、画面表示を切り換える際に釦が表示されない画面を経由することでユーザの誤動作を防止するようにした電子機器が提案されている（特許文献５参照）。
【先行技術文献】
【特許文献】
【０００４】
【特許文献１】特開２００３−２３４９４２号公報
【特許文献２】特開２００８−２８９５０３号公報
【特許文献３】特開２００９−１８２５９０号公報
【特許文献４】特開２０１１−２３２７４１号公報
【特許文献５】特開２０１１−１４００４号公報
【発明の概要】
【発明が解決しようとする課題】
【０００５】
前述したように、撮影制御のための項目の指定をタッチパネルで行うようにしたものが販売されているが、近年、従来は釦やダイヤルなどの操作部材で行う撮影パラメータの指定や変更をタッチ操作で行うことにより、撮影パラメータの設定の操作性を向上させる手法が提案されている。
【０００６】
しかし、タッチ操作よる撮影パラメータの変更は、下記のような問題点がある。
（１）ファインダを覗く際に、鼻が当たることによりタッチの誤操作が生ずる。
（２）カメラを肩から下げて携帯するような場合に、撮影者の移動に伴い、カメラが種々の方向から体に当たることによりタッチの誤操作が生ずる。
（３）カメラボディ側をもってレンズを交換する時に、ＬＣＤモニタ面に触れやすく、タッチの御操作が生ずる。
（４）背面に設けられたＬＣＤモニタの角度を変える時、カメラからＬＣＤモニタを引き出したり、回転したりするときに誤操作が生ずる。
（５）カメラを鞄やポケットに収納する時に、カメラが種々の方向で当たることによりタッチの誤操作が生ずる。
【０００７】
このように、撮影に付随して発生する様々な意図しないタッチにより誤操作が生ずる。これを解決する方法として、例えば、前述した特許文献３では、ファインダを覗くとＬＣＤモニタの表示を消灯し、タッチパネルによる各種設定を受け付けないようにしている（特許文献３の段落［０１５４］参照）。しかし、この方法では、前述した（２）〜（５）の場合のように、ユーザがファインダを覗いていない場合に生ずる様々な誤操作を防止することができない。
【０００８】
また、タッチされ画面が切換える際に、特許文献５に開示されているように、釦が表示されない画面を所定時間の間、表示する方法が考えられる。しかし、釦が表示されない画面が所定時間の間、表示された後には、前述した（１）〜（５）のようなカメラ撮影操作に付随したタッチの誤操作を防止することができない。
【０００９】
本発明は、このような事情を鑑みてなされたものであり、カメラ撮影操作に付随するタッチ誤操作を防止するようにした撮像装置を提供することを目的とする。
【課題を解決するための手段】
【００１０】
上記目的を達成するため第１の発明に係る撮像装置は、複数種類の項目について、現在の設定情報を表示する表示手段と、上記項目の設定内容を変更可能な状態に設定する設定内容変更許可手段と、上記設定内容変更許可手段に応答して上記変更可能になった項目を上記表示手段に指示し、周囲と異なる表示形態で変更項目を表示する変更項目表示手段と、上記表示手段の表示画面に対するタッチ状態を検知するタッチ検知手段と、設定内容の変更が許可された状態で上記変更項目表示手段によって表示された上記変更項目がタッチ操作された際に、上記タッチ検知手段によって検知された変更項目の位置を変更する位置変更手段と、上記位置変更手段によって上記変更項目の位置が変更された状態で、上記タッチ検知手段によって所定の操作の実施が検出された場合に上記変更項目に関して選択可能な複数の撮影パラメータを上記表示手段に表示する選択肢表示手段と、上記選択肢表示手段によって選択された複数の撮影パラメータの中から、所定のタッチ操作によって選択された撮影パラメータに設定内容を変更する設定内容変更手段と、を具備し、上記設定内容変更許可手段による許可されていない場合には上記複数種類の項目の選択のみを許可して、撮影パラメータの変更を禁止し、上記設定内容変更許可手段による許可がされている場合にはダブルタップ操作又はタッチ＆ドラッグ操作で上記選択された項目における上記撮影パラメータの変更を許可する。
【００１２】
第２の発明に係る撮像装置は、上記第１の発明において、上記設定内容変更許可手段は、操作釦の押下げ操作、上記表示手段の表示画面に対するダブルタップ操作又は上記表示手段に対するタッチ＆ドラッグ操作である。
第３の発明に係る撮像装置は、上記第１の発明において、上記設定内容変更許可手段は、操作釦の押下げ操作、上記表示手段の表示画面に対するダブルタップ操作又は上記表示手段に対するタッチ＆ドラッグ操作である。
第４の発明に係る撮像装置は、上記第１の発明において、上記タッチ検知手段によって検出された位置が複数の撮影パラメータが表示されたタッチ撮影パラメータ列であって、上記表示手段の表示画面に表示された撮影パラメータ列に更にタッチ＆ドラッグ操作が行われた場合に上記選択肢表示手段はタッチ撮影パラメータ列のページ送りを行う。
【００１３】
第５の発明に係る撮像装置は、上記第１の発明において、ファインダ接眼部を介して被写体像を観察可能なファインダ手段と、上記ファインダ接眼部に物体が接近したことを検知する接眼検知手段と、上記接眼検知手段によって物体が接近したことを検知した際には、上記タッチ操作の受け付けを禁止する禁止手段と、具備する。
【発明の効果】
【００１４】
本発明によれば、カメラ撮影操作に付随するタッチ誤操作を防止するようにした撮像装置を提供することができる。
【図面の簡単な説明】
【００１５】
【図１】本発明の第１実施形態に係るカメラの背面側からみた外観斜視図である。
【図２】本発明の第１実施形態に係るカメラにおいて、表示部の操作状態を示す図である。
【図３】本発明の第１実施形態に係るカメラにおける表示部の表示を示す図である。
【図４】本発明の第１実施形態に係るカメラの主として電気的構成を示すブロック図である。
【図５】本発明の第１実施形態に係るカメラの撮影待機の動作を示すフローチャートである。
【図６】本発明の第１実施形態に係るカメラのタッチ処理の動作を示すフローチャートである。
【図７】本発明の第２実施形態に係るカメラの撮影待機の動作を示すフローチャートである。
【図８】本発明の第２実施形態に係るカメラのタッチ処理（１）の動作を示すフローチャートである。
【図９】本発明の第２実施形態に係るカメラのタッチ処理（２）の動作を示すフローチャートである。
【発明を実施するための形態】
【００１６】
以下、図面に従って本発明を適用したカメラを用いて好ましい実施形態について説明する。本発明の好ましい実施形態に係わるカメラは、デジタルカメラであり、撮像部を有し、この撮像部によって被写体像を画像データに変換し、この変換された画像データに基づいて、被写体像を本体の背面に配置した表示部１１５にライブビュー表示する。撮影者はライブビュー表示を観察することにより、構図やシャッタチャンスを決定する。また、表示部１１５にはタッチパネル１１５ａが設けられており、ユーザはタッチパネル１１５ａをタッチすることにより、撮影制御を行うための項目を指定することができる。記録媒体に記録された画像データは、再生モードを選択すると、表示部１１５に再生表示することができる。
【００１７】
図１（ａ）は、第１実施形態に係るカメラ１００を背面側から見た斜視図であり、図１（ｂ）は表示部１１５における表示例を示す図であり、図１（ｃ）は電子ファインダ１２１における表示例を示す図である。カメラ１００の背面には、表示部１１５が設けてある。この表示部はＬＣＤモニタ、有機ＥＬモニタ等の表示パネルを有しており、ライブビュー表示、カメラ制御画面表示、メニュー画面表示、再生表示等、種々の画像を表示する。表示部１１５は、図２に示すように、カメラ本体から収納した状態から（図２（ａ）参照）、引き出したり（図２（ｂ）参照）、また回転させたり（図２（ｃ）参照）することが可能である。カメラ制御画面の表示については、図３を用いて後述する。表示部１１５の前面または表示部１１５と一体にタッチ操作部１１５Ａが設けられている。このタッチ操作部１１５Ａはユーザのタッチ操作を検出する。
【００１８】
表示部１１５の上側には、接眼部２１が配置されている。ユーザが接眼部２１を覗くと、電子ファインダ１２１（図４参照）によってライブビュー表示等の種々の画像を観察することができる。接眼部２１の接眼レンズの近傍には、アイセンサ１２２が配置されている。このアイセンサ１２２は、ユーザ等が接眼部２１を覗いた際等、ファインダ接眼部に物体が接近したことを検知する接眼検知手段としての機能を果たす。アイセンサ１２２によってユーザが電子ファインダを覗いたことを検知すると、電子ファインダ１２２内の表示が自動的に点灯し、表示部１１５は消灯する。
【００１９】
カメラ本体の上面には、レリーズ釦１１、メインダイヤル１２、サブダイヤル１３が配置され、また背面であって表示部１１５の右側には、ＯＫ釦１５、十字釦１７、パワースイッチ１９が配置されている。レリーズ釦１１は、押し込み状態が半押しと全押しの２段階で検知可能であり、半押し状態で撮影準備を、全押しで撮影を行う。メインダイヤル１２およびサブダイヤル１３は、回転状態を検出可能であり、各種設定の際に使用される。十字釦１７は、上下左右の４つの釦から構成され、カメラ制御画面またはメニュー画面においてカーソル位置の変更に使用される。ＯＫ釦１５はカメラ制御画面またはメニュー画面において十字釦１７によって選択された項目等を確定する。
【００２０】
次に、図３を用いて、表示部１１５に表示されるカメラ制御画面について説明する。図３（ａ）はカメラ制御画面において項目を選択する際の表示である。画面中の上側には、現在の選択機能１１５ｃが表示される。また、現在の選択機能１１５ｃの左下側には、ＩＳＯ感度１１５ｄが表示される。図３（ａ）に示す例では、ＩＳＯ感度１１５ｄが選択されていることからこの項目にカーソル表示１１５ａがなされる。カーソル表示１１５ａは他の項目の表示形態と異なっておればよく、現在の選択機能１１５ｃにはカーソル表示１１５ａがなされている項目が表示される（図３（ａ）の例では「推奨ＩＳＯ感度」）。
【００２１】
ＩＳＯ感度１１５ｄの下側には、フラッシュモード１１５ｆが、またその下側にはフラッシュ補正値１１５ｇが表示され、さらに下側には手振れ補正１１５ｓが表示される。また、ＩＳＯ感度１１５ｄの右側には、ホワイトバランスおよびホワイトバランス補正１１５ｈが表示され、この下側には、フラッシュ補正値１１５ｅおよび測光方式１１５ｏが表示され、その下側には、ＡＦ方式・ＡＦターゲット１１５ｒが表示され、さらに下側には、画質モード１１５ｑおよびアスペクト比１１５ｐが表示される。
【００２２】
ホワイトバランスおよびホワイトバランス補正１１５ｈの右側には、ピクチャーモード１１５ｉが表示され、その下側には、シャープネス・コントラスト・彩度・階調・フィルタ効果・調色１１５ｊが表示され、その下側には顔優先１１５ｎおよびカラー設定１１５ｋが表示され、その下側には釦機能割り当て１１５ｍが表示される。上述した各項目の下側には、現在設定されている撮影モード、シャッタ速度、絞り値等の露出制御値が表示される。
【００２３】
本実施形態においては、各項目１１５ｄ〜１１５ｓのいずれかをユーザがタッチすると、そのタッチされた項目が選択状態となる。項目が選択状態になると、図３（ｂ）に示すように、選択された項目に対応する撮影パラメータ表示列１１５ｔが表示される。図３（ｂ）に示す例では、ホワイトバランスおよびホワイトバランス補正１１５ｈが選択状態となっていることから、撮影パラメータ表示列１１５ｔには、オート、太陽光、日陰、曇天、電球光、蛍光灯、水中等のホワイトバランスの撮影パラメータが表示される。右側の三角印は、さらに撮影パラメータが有ることを示している。この状態で、メインダイヤル１２またはサブダイヤル１３を操作すると、ホワイトバランスの撮影パラメータを、順次、切り換える。
【００２４】
次に、図４を用いて本実施形態の電気的構成について説明する。撮影レンズ１０１の光軸上に、絞り機構１０３、および撮像素子１０７が配置されている。撮像素子１０７の出力はＡ／Ｄ変換部１０９に接続され、Ａ／Ｄ変換部１０９の出力はメモリ１１０に接続されている。メモリ１１０は画像処理部１１１とシステム制御部１１６に接続されている。
【００２５】
システム制御部１１６には、撮像制御部１０８、モニタ引出し回転検出部１０６、絞り制御部１０４、レンズ制御部１０２、露出制御部１１２、ＡＦ処理部１１３、アイセンサ１２２、電子ファインダ１２１、フラッシュ制御部１３１、不揮発性メモリ１１８、外部メモリ１１４、表示部１１５、釦・ダイヤル操作部１１７、電源制御部１２０がそれぞれ接続されている。
【００２６】
上述の撮像制御部１０８は撮像素子１０７に接続されており、シャッタ制御部１０６はシャッタ１０５に接続されており、絞り制御部１０４は絞り１０３に接続されており、レンズ制御部１０２は撮影レンズ１０１に接続されている。また、電源制御部１２０は電源部１１９に接続されており、フラッシュ制御部１３１はフラッシュ充電部１３２とフラッシュ発光部１３３にそれぞれ接続されている。
【００２７】
撮影レンズ１０１は、被写体光束を撮像素子１０７に集光させ、被写体像を結像させるための光学系である。この撮影レンズ１０１は、システム制御部１１６からの指示に応じて動作するレンズ制御部１０２により光軸方向に移動され、焦点状態が変化する。絞り機構１０３は、撮影レンズ１０１を介して撮像素子１０７に入射する被写体光束の入射量を調節する。絞り機構１０３は、システム制御部１１６からの指示に応じて動作する絞り制御部１０４により開口量が制御される。
【００２８】
撮像素子１０７は、ＣＭＯＳイメージセンサやＣＣＤイメージセンサ等の二次元固体撮像センサであり、前面に配置されたベイヤ―配列のＲＧＢカラーフィルタと、このＲＧＢカラーフィルタに対応して配列されたフォトダイオード等の光電変換素子から構成される。各カラーフィルタとこれに対応する各光電変換素子から構成される画素群によって撮像領域が構成される。撮像素子１０７は、撮影レンズ１０１により集光された光を各画素で受光し光電流に変換し、この光電流を各コンデンサに蓄積し、アナログ電圧信号（画像信号）としてＡ／Ｄ変換部１０９に出力する。撮像制御部１０８は、システム制御部１１６からの指示に応じて撮像素子１０７の動作制御を行う。
【００２９】
Ａ／Ｄ変換部１０９は、撮像素子１０７から出力されるアナログ電圧信号（画像信号）をデジタル画像信号（画像データ）に変換する。メモリ１１０は、Ａ／Ｄ変換部１０９において得られた画像データや、画像処理部１１１において処理された画像データ等、各種データを一時的に記憶する記憶部である。なお、本明細書においては、撮像素子１０７から出力される画像信号に基づく信号であれば、Ａ／Ｄ変換部１０９によってＡ／Ｄ変換された信号のみならず画像処理された信号も含めて画像データと称する場合がある。
【００３０】
画像処理部１１１は、メモリ１１０に一時記憶された画像データを読み出し、この画像データに対して、ホワイトバランス補正処理、同時化処理、色変換処理等の画像処理を行う。さらに、画像処理部１１１は、後述する外部メモリ１１４に記録する際に画像圧縮を行い、また外部メモリ１１４から読み出した圧縮された画像データの伸張を行う。
【００３１】
モニタ引出し回転検出部１０６は、表示部１１５の近傍に配置され、図２に示したように表示部１１５がカメラ本体から引き出され（図２（ｂ）参照）、または回転された（図２（ｃ）参照）ことを検出する。
【００３２】
露出制御部１１２はメモリ１１０に一時記憶された画像データを用いて被写体輝度（被写体を含むシーンの明るさ）を算出する。なお、専用の測光センサを用いて被写体輝度を算出するようにしても勿論かまわない。
【００３３】
ＡＦ（Auto Focus）処理部１１３は、メモリ１１０に一時記憶された画像データより高周波成分を抽出し、積算処理によりコントラスト値を取得する。システム制御部１１６は、コントラスト値に基づいてレンズ制御部１０２を通じて、撮影レンズ１０１が合焦位置となるように駆動制御を行う。
【００３４】
釦・ダイヤル操作部１１７は、図１に示すようなレリーズ釦１１、メインダイヤル１２、サブダイヤル１３、ＯＫ釦１５、十字釦１７、パワースイッチ１９等、各種の操作部材を含む。ユーザが操作部１１７のいずれかの操作部材を操作すると、システム制御部１１６は、ユーザの操作に応じた各種シーケンスを実行する。
【００３５】
システム制御部１１６は、ＣＰＵ（Central Processing Unit：中央処理装置）等を含むＡＳＩＣ（Application Specific Integrated Circuit：特定用途向け集積回路）で構成され、撮像制御部１０８、露出制御部１１２、表示部１１５、タッチ操作部１１５Ａ、電子ファインダ１２１等のカメラ１００の各種シーケンスを統括的に制御する。
【００３６】
外部メモリ１１４は、例えば、カメラ本体に着脱自在に記録媒体であり、画像処理部１１１において圧縮された画像データおよびその付随データが記録される。また、記録された画像データは読み出され、表示部１１５に再生表示される。なお、画像データ等を記録するための記録媒体として、カメラ本体に着脱可能な外部メモリに限らず、カメラ本体に内蔵のハードディスク等の記録媒体であってもかまわない。
【００３７】
表示部１１５は、カメラ本体の背面等に配置されたＬＣＤモニタ（図１参照）等の表示パネルを含み、前述したように、画像データに基づいてライブビュー表示を行う。また、表示部１１５は、外部メモリ１１４に記録された撮影画像の再生表示を行い、さらに露出制御値等の表示や撮影モード等設定のためのカメラ制御画面やメニュー画面の表示を行う。
【００３８】
また、表示部１１５のＬＣＤモニタ等の表示パネルの前面、または表示パネルと一体にタッチ操作部１１５Ａが設けられており、ユーザの指等によりタッチされた場合には、タッチ操作に関する情報（検知出力）がシステム制御部１１６に出力される。
【００３９】
不揮発性メモリ１１８は、電気的に書き換え可能な不揮発性メモリであり、カメラ１００の動作に必要な各種パラメータを記憶している。また、不揮発性メモリ１１８は、システム制御部１１６において実行するプログラムも記憶している。システム制御部１１６は、不揮発性メモリ１１８に記憶されているプログラムに従い、また不揮発性メモリ１１８に記憶されているパラメータを読み込み、各種シーケンスを実行する。
【００４０】
電源部１１９は、カメラ１００の各部の動作に必要な電力を供給し、例えば、２次電池等の電源電池で構成される。電源制御部１２０は、電源部１１９を構成する電池の電源電圧や残量の検出等、電源部１１９の制御を行う。
【００４１】
電子ファインダ１２１は、被写体画像等を表示するための表示部を有しており、ユーザが接眼部２１を覗いた際に被写体画像等を観察することができる（図１（ｃ）参照）。アイセンサ１２２は、図１を用いて前述したように、接眼部２１の接眼レンズの近傍に配置され、ユーザが接眼部２１を覗いたことを検知し、検知結果はシステム制御部１１６に出力する。
【００４２】
フラッシュ制御部１３１は、システム制御部１１６からの指示に応じてフラッシュ充電部１３２における充電動作、およびフラッシュ発光部１３３における発光動作を制御する。フラッシュ充電部１３２は、電源部１１９の電源電圧を昇圧する昇圧回路や、ここで昇圧された電圧でエネルギを蓄積するコンデンサを有し、フラッシュ発光部１３３の発光を行うに必要なエネルギを蓄積する。フラッシュ発光部１３３は、例えば、キセノン（Ｘｅ）管等の発光管や反射傘を備えており、フラッシュ制御部１３１から発光指示を受信した際に、フラッシュ充電部１３２のコンデンサに蓄積されたエネルギを利用して発光する。
【００４３】
次に、本実施形態における動作について、図５および図６に示すフローチャートを用いて説明する。これらのフローは不揮発性メモリ１１８に記憶されているプログラムに従ってシステム制御部１１６によって実行される。図５に示すフローは撮影待機状態における動作である。このフローは、操作部１１７のパワースイッチ１９がオンとなり、撮影待機状態となるとスタートする。
【００４４】
撮影待機のフローが開始すると、まず、基本処理を行う（Ｓ１）。基本処理としては、画面表示、操作部１１７の操作部材の内のメインダイヤル１２等のキーおよびダイヤル操作、レリーズ釦１１が操作された際のレリーズ操作、ズーム釦が操作された際のズーム操作等、種々の操作を実行する。
【００４５】
基本処理を行うと、次に、アイセンサ１２２が感知しているか否かを判定する（Ｓ３）。ここでは、アイセンサ１２２の検知出力に基づいて、接眼部２１の近傍に物体が有るか否かを判定する。ユーザが接眼部２１を覗いていれば、Ｙｅｓと判定され、一方、ユーザが接眼部２１を覗いていなければ、Ｎｏと判定される。
【００４６】
ステップＳ３における判定の結果、アイセンサが感知していれば、次に、タッチ操作の無効化を行う（Ｓ５）。この場合は、ユーザが接眼部２１を覗いている場合であり、ユーザの鼻等が表示部１１５の表示パネルをタッチしてしまい誤操作してしまうことを防止するためにタッチ操作の無効化を行う。タッチ操作の無効化は、本実施形態においては、タッチモジュール（タッチ操作部１１５ａ）からのタッチ出力信号を無視することにより行う。しかし、これに限らず、タッチ信号が発生しないように、タッチモジュールのタッチ検出自体を禁止するようにしてもよい。
【００４７】
タッチ操作の無効化を行うと、次に、背面モニタ表示をオフする（Ｓ７）。背面モニタ表示をオフする処理は、接眼部２１を介して電子ファインダ１２１を覗いたときに、表示部１１５（背面モニタ）からの光が目に入ることによる眩しさを低減するためである。ステップＳ３における判定の結果、ユーザは接眼部２１を覗いており、表示部１１５における表示を観察していないことから、表示部１１５（背面モニタ）の表示をオフにする。
【００４８】
電子ファインダ１２１を覗く操作は瞬時に行われるので、ステップＳ５における「タッチ無効化処理」とステップＳ７における「背面モニタ表示オフ処理」の順番が重要である。通常、アイセンサ１２３による顔検出距離は顔の赤外反射率やセンサ感度のばらつきも含めて、７ｃｍ〜１０ｃｍ程度に設計される。顔の鼻の高さは３ｃｍ〜５ｃｍ程度であるので、アイセンサ１２３が顔を検出してから鼻がタッチするまでの距離は最悪２ｃｍ程度しかない。このため、アイセンサ１２３が顔を検出してから鼻がタッチするまで、数ｍｓ程度の余裕しかない。一方、背面モニタをオフする処理は、複数の情報表示レイヤーのデータを書き換える処理だけでも数十ｍｓの時間を要してしまう。また、有機ＥＬなどの表示デバイスの中には、表示をオフする場合、１００ｍｓ程度の待ち時間を必要とするものもある。このため、タッチ操作の無効化処理を、背面モニタの表示をオフする処理に優先しなければならない。
【００４９】
背面モニタの表示をオフにすると、次に、ファインダ表示をオンとする（Ｓ９）。ステップＳ３における判定の結果、ユーザは接眼部２１を覗いていることから、電子ファインダ１２１の表示をオンとする。電子ファインダの表示をオンとすると、ステップＳ１に戻る。
【００５０】
ステップＳ３における判定の結果、アイセンサが感知していない場合には、ファインダ表示をオフとする（Ｓ１１）。この場合は、ユーザが接眼部２１を覗いていない場合であることから、電子ファインダ１２１の表示をオフとする。
【００５１】
電子ファインダ表示をオフすると、次に、背面モニタ表示をオンとする（Ｓ１３）。ステップＳ３における判定の結果、ユーザが接眼部２１を介して電子ファインダ１２１を観察している可能性が低いことから、表示部１１５（背面モニタ）における表示をオンとする。表示部１１５の表示をオンにすると、図１（ｂ）に示すようなカメラ制御画面が表示される。
【００５２】
背面モニタの表示をオンとすると、次に、ＯＫ釦が押下げられたか否かを判定する（Ｓ１５）。前述したようにステップＳ１３においてカメラ制御画面が表示され、また後述するＳ１９においてタッチ操作を有効にすることから、誤ってタッチ操作がなされ、ユーザの意図しない項目が設定されることを防止するために、ユーザがＯＫ釦１５を操作したか否かを判定する。これによって、例えば、背景技術の欄で説明したタッチ操作よる変更の不具合（２）〜（５）に示すようなタッチ操作による誤操作を防止することができる。なお、本実施形態においては、ＯＫ釦１５を使用しているが、カーソルを表示しタッチ操作を許可するための釦としては、ＯＫ釦１５に限らず他の釦でも勿論かまわない。
【００５３】
ステップＳ１５における判定の結果、ＯＫ釦が押下げられていない場合には、ステップＳ１に戻る。一方、判定の結果、ＯＫ釦が押下げられた場合には、次に、項目カーソルの表示をオンする（Ｓ１７）。ここでは、カメラ制御画面で表示される項目（例えば、図３（ａ）における符号１１５ｄ〜１１５ｓの項目）を選択するためのカーソル１１５ａの表示をオンとする。カーソル表示は、選択中の項目を表示し、例えば、他の項目とは異なる色彩にしたり、点滅させたり等、非選択中の項目と選択中の項目を識別できる表示形態であればよい。なお、このカーソル１１５ａは、後述するステップＳ２３、Ｓ２７において、ユーザによってタッチされることにより移動する。
【００５４】
項目カーソルの表示をオンとすると、次に、タッチ操作を有効化する（Ｓ１９）。ここでは、システム制御部１１６は、タッチ操作部１１５Ａにおける検知結果に基づく判定を有効にする。
【００５５】
タッチ操作を有効化すると、次に、ダイヤル操作がなされたか否かを判定する（Ｓ２１）。選択中の項目に関する撮影パラメータの変更はダイヤル操作によって行う。例えば、図３（ｂ）に示すように、カーソル１１５ａによってホワイトバランスおよびホワイトバランス補正１１５ｈが選択中の場合に、メインダイヤル１２またはサブダイヤル１３のいずれかを回転操作すると、撮影パラメータ表示列１１５ｔに表示されている撮影パラメータが順次変更される。この撮影パラメータの決定は、後述するステップＳ２９において行う。なお、撮影パラメータの変更は、本実施形態においては、ダイヤル操作以外にも、後述するタッチ処理においてダブルタップがなされた場合においても行うことが可能である（図５のＳ２７、図６のＳ４１→Ｓ４５、Ｓ５１参照）。
【００５６】
撮影パラメータの変更を行うと、またはステップＳ２１における判定の結果、ダイヤル操作が行われていない場合には、次に、タッチ有りか否かの判定を行う（Ｓ２５）。ユーザは、カメラ制御画面上で項目の変更や選択中の項目の撮影パラメータの変更を望む場合には、表示部１１５の表示パネル上をタッチする。そこで、このステップでは、いずれの項目がタッチされたか否かを、タッチ操作部１１５Ａからの検知出力に基づいて判定する。
【００５７】
ステップＳ２５における判定の結果、タッチが有った場合には、タッチ処理を行う（Ｓ２７）。タッチ処理では、ユーザが項目を選択するためにタッチした場合や、またダブルタップによって撮影パラメータ表示列を表示させた後、撮影パラメータをタッチした場合等の処理を行う。このタッチ処理の詳しい動作については、図６を用いて後述する。
【００５８】
タッチ処理を行うと、またはステップ２７における判定の結果、タッチがなかった場合には、次に、レリーズ釦の半押し、ＯＫ釦の押下げ、またはタイムアウトしたか否かについて判定する（Ｓ２９）。ステップＳ２３における撮影パラメータの変更や、ステップＳ２７における項目の変更等は、レリーズ釦１１の半押し操作またはＯＫ釦１５が操作された場合に決定される。レリーズ釦１１またはＯＫ釦１５が操作されなかった場合、またはアイセンサ検知がないと最初に判定された時点から所定時間が経過していない場合には、ステップＳ２１に戻り、ステップＳ２１〜Ｓ２９を繰り返し実行する。なお、本実施形態においては、レリーズ釦およびＯＫ釦で決定していたが、決定用の操作部材としてはこれらに限らず、他の操作部材でもよく、またレリーズ釦およびＯＫ釦のいずれか１つだけでもよい。また、操作部材の操作に限らず、撮影パラメータの変更時点で確定するようにしてもよい。
【００５９】
ステップＳ２９における判定の結果がＮｏであった場合には、項目カーソルの表示をオフし（Ｓ３１）、タッチ操作の無効化を行う（Ｓ３３）。アイセンサにより検知がオフとなってから所定時間が経過したか、またはレリーズ釦１１またはＯＫ釦１５の操作によって項目や撮影パラメータが決定されたことから、項目カーソルの表示をオフとし、またタッチ操作の無効化を行う。タッチ操作の無効化を行うと、ステップＳ１に戻る。
【００６０】
次に、ステップＳ２７におけるタッチ処理の詳しい動作について、図６を用いて説明する。タッチ処理のフローに入ると、まず、タッチの種類を判定する（Ｓ４１）。ここでは、タッチ操作部１１５Ａからの検知出力に基づいて、ユーザがシングルタップを行ったか、ダブルタップを行ったかを判定する。シングルタップは、ユーザが１回だけ表示パネル上を叩く場合であり、ダブルタップはユーザが２回続けて表示パネル上を叩く場合である。ダブルタップか否かの判定にあたっては、肩からカメラを下げて携帯する場合や、鞄の中にカメラを入れて歩く場合等、通常の動作では生じないような間隔で２回続けて叩いたかどうかで判定する。
【００６１】
ステップＳ４１における判定の結果、シングルタップであった場合には、項目カーソル移動を行う（Ｓ４３）。ここでは、タッチ操作部１１５Ａからの検知出力、特に、タップされた位置の情報に基づいて、タップされた項目（例えば、図３（ａ）の符号１１５ｄ〜１１５ｓに対応する項目）にカーソル１１５ａを移動させる。
【００６２】
一方、ステップＳ４１における判定の結果、ダブルタップであった場合には、次に、撮影パラメータ列の表示を行う（Ｓ４５）。ここでは、選択中または決定済みの項目に対応する撮影パラメータ表示列１１５ｔを表示部１１５のカメラ制御表示画面中において表示する。
【００６３】
撮影パラメータ列の表示を行うと、次に、撮影パラメータ列表示にタッチ操作があるか否かの判定を行う（Ｓ４７）。ここでは、タッチ操作部１１５Ａの出力に基づいて、ユーザが表示部１１５の表示パネル上でタッチ操作したか否かを判定する。
【００６４】
ステップＳ４７における判定の結果、撮影パラメータ列表示にタッチ操作があった場合には、次に、タッチの種類を判定する（Ｓ４９）。ここでは、タッチ操作部１１５Ａからの検知出力に基づいて、シングルタップかタッチ＆ドラッグのいずれであるかを判定する。タッチ＆ドラッグは、ユーザが表示パネル上をタッチした後、タッチしたままで引きずる操作（摺動操作）をいう。
【００６５】
ステップＳ４９における判定の結果、シングルタップであった場合には、撮影パラメータの変更を行う（Ｓ５１）。ここでは、タッチ操作部１１５Ａからの検知出力に基づいて、ユーザがタッチした撮影パラメータに変更する。
【００６６】
一方、ステップＳ４９における判定の結果、タッチ＆ドラッグであった場合には、撮影パラメータ列のページ送りを行う（Ｓ５３）。カメラ制御画面中の撮影パラメータ表示列１１５ｔは、全ての撮影パラメータを表示することができない場合がある（図３（ｂ）に示す例では、撮影パラメータ表示列１１５ｔの右側に未だ撮影パラメータが隠れていることを示す△印を表示している）。そこで、本実施形態においては、隠れている撮影パラメータを表示させる場合には、タッチ＆ドラッグによってページ送りを行う。
【００６７】
ステップＳ４３において項目カーソル移動を行うと、またはステップＳ４７における判定の結果撮影パラメータ列表示にタッチ操作がなかった場合には、またはステップＳ５１において撮影パラメータ変更を行うと、またはステップＳ５３において撮影パラメータ列のページ送りを行うと、タッチ処理のフローを終了し、元のフローに戻る。
【００６８】
以上説明したように、本発明の第１実施形態においては、ＯＫ釦１５を操作し、タッチ操作部１１５Ａをタッチすることにより、表示部１１５に表示された項目を選択することができる。すなわち、本実施形態は、複数種類の項目（例えば、図３に示す符号１１５ｄ〜１１５ｓの項目）について、現在の設定情報を表示する表示手段（カメラ制御画面を表示する表示部１１５）と、項目の設定内容を変更可能な状態に設定する設定内容変更許可手段（システム制御部１１６、図５のＳ１５におけるＯＫ釦の押下げ）と、設定内容変更許可手段に応答して変更可能になった項目を表示手段に指示し、周囲と異なる表示形態で項目を表示する項目変更表示手段（システム制御部１１６、図５のＳ１７における項目カーソル表示オン）と、表示手段の表示画面に対するタッチ状態を検知するタッチ検知手段（タッチ操作部１１５Ａ）と、設定内容変更許可手段に応じてタッチ操作を受け付け（図５のＳ１９のタッチ操作有効化）、タッチ検知手段の検知結果に応答して変更項目表示手段によって周囲と異なる形態で表示された変更項目の表示位置を変更する位置変更手段（システム制御部１１６、図５のＳ２７のタッチ処理、図６のＳ４３の項目カーソル移動）を備えている。
【００６９】
本実施形態においては、設定内容変更手段によって項目の設定内容を変更可能な状態に設定しないと、項目の変更を行うことができないので、背景技術の欄において（２）〜（５）で例示したようなユーザがファインダを覗いていない場合に生ずる様々な誤操作を防止することができる。また、設定内容変更手段によって許可すれば直ちに項目内容を変更することができるので、特許文献５に比較し、迅速に設定を行うことができる。
【００７０】
また、本実施形態においては、周囲と異なる表示形態で表示された変更項目の設定内容をダイヤル操作に応じて変更する設定内容変更手段（システム制御部１１６、図５のＳ２１のダイヤル操作判定、Ｓ２３の撮影パラメータ変更）を備えている。このように撮影パラメータは操作部材によって設定するようにしており、このため、誤操作のおそれが少ない。すなわち、本実施形態においては、ユーザの意図に反してタッチ操作によって項目が選択されたとしても、撮影パラメータはタッチ操作とは異なるダイヤル操作によって行うので、誤操作のおそれが少ない。
【００７１】
また、本実施形態においては、項目の選択のみ許可し、各項目の撮影パラメータの変更を禁止する第１のタッチ操作段階の次に、各項目の撮影パラメータの変更を許可する第２のタッチ操作段階に遷移するように構成している。このため、ユーザの意図に反してタッチ操作によって項目が選択されたとしても、撮影パラメータはタッチ操作とは異なるダイヤル操作によって行うので、誤操作のおそれが少ない。
【００７２】
また、本実施形態においては、周囲と異なる表示形態で表示された項目に関して選択可能な複数の選択肢（撮影パラメータ表示列１１５ｔ）を表示する選択肢表示手段（カメラ制御画面中に撮影パラメータ表示列１１５ｔを表示する表示部１１５）と、選択肢表示手段によって選択された複数の選択肢の中から、タッチ検知手段の検知結果に応答して選択肢を選択する選択肢選択手段（システム制御部１１６、図６のＳ５１）を備えている。このように、撮影パラメータをタッチ操作によって選択することができるので、簡単かつ迅速にパラメータ設定を行うことができる。
【００７３】
また、本実施形態においては、設定内容変更許可手段は、操作釦（例えば、ＯＫ釦１５）の押下げ操作に応じて、項目の設定内容を変更可能としている。鞄の中に収納して携帯する場合等、誤ってタッチされてしまう可能性があるが、誤って操作釦の押下げ操作がなされる可能性は低いことから、誤操作のおそれが少ない。
【００７４】
なお、本実施形態においては、設定内容変更手段として、ダイヤル操作によって設定内容を変更していたが、これに限らず、例えば、十字釦１７等の釦部材によって行うようにしても勿論かまわない。また、本実施形態においては、周囲と異なる表示形態で表示する変更項目としてカーソル表示していたが、この周囲と異なる表示形態としては、周囲と色を異ならせた表示、点滅表示、影を付け凹凸感を持たせた表示等、種々の表示形態を用いてもよい。
【００７５】
次に、本発明の第２実施形態について、図７ないし図９を用いて説明する。第１実施形態においては、カメラ制御画面において項目を選択するにあたって、ＯＫ釦１５を操作することによって項目選択を許可していた。これに対して、第２実施形態においては、最初のタップ操作によって項目選択の許可を行うようにしている。また、このときのタップ操作がシングルタップの場合には項目選択、またダブルタップであれば撮影パラメータの選択を行うことができる。
【００７６】
第２実施形態における構成は、第１実施形態に係る図１ないし図４に示した構成と同様であることから、詳しい説明を省略し、第２実施形態に係る動作について、図７ないし図９に示すフローチャートを用いて説明する。これらのフローは、第１実施形態の場合と同様、不揮発性メモリ１１８に記憶されているプログラムに従ってシステム制御部１１６によって実行される。
【００７７】
図７に示すフローは撮影待機状態における動作である。このフローは、操作部１１７のパワースイッチ１９がオンとなり、撮影待機状態となるとスタートする。ステップＳ１ないしＳ１３における処理は、第１実施形態と同様であるので、同一の処理を行うステップについては、同一のステップ番号を付し、詳しい説明を省略する。
【００７８】
ステップＳ１３において背面モニタの表示をオンとすると、次に、タッチ操作を有効化する（Ｓ６１）。ここでは、ステップＳ１９（図５参照）と同様に、システム制御部１１６は、タッチ操作部１１５Ａにおける検知結果に基づく判定を有効にする。
【００７９】
タッチ操作の有効化を行うと、次に、タッチ有りか否かの判定を行う（Ｓ６３）。本実施形態においては、表示部１１５にカメラ制御画面が表示されると、ステップＳ６１においてタッチ操作が有効化される。このため、ユーザは、カメラ制御画面上で項目の変更や選択中の項目の撮影パラメータの変更を望む場合には、ＯＫ釦１５等の操作を行うことなく、表示部１１５の表示パネル上をタッチする。そこで、このステップでは、いずれの項目がタッチされたか否かを、タッチ操作部１１５Ａからの検知出力に基づいて判定する。
【００８０】
ステップＳ６３における判定の結果、タッチが有った場合には、タッチ処理（１）を実行する（Ｓ６５）。ここでは、タッチ操作が有ったことから、項目の設定内容の変更を許可する。設定内容の変更にあたってタップの種類を判定し、シングルタップの場合は項目カーソル表示をオンとし、またダブルタップ又はタッチ＆ドラッグの場合には、項目カーソル表示をオンとすると共に撮影パラメータ列表示を行う。このタッチ処理（１）の詳しい動作については、図８を用いて後述する。
【００８１】
タッチ処理（１）を行うと、またはステップＳ６３における判定の結果、タッチ処理がなかった場合には、次に、タッチ処理があるか否かを判定する（Ｓ６７）。タッチ処理（１）によって、項目の設定内容の変更が許可された場合に、続いてタップ操作がなされると設定内容の変更が行われる。そこで、このステップでは、タッチ操作部１１５Ａからの検知出力に基づいてタッチ有りか否かを判定する。
【００８２】
ステップＳ６７における判定の結果、タッチ操作が有った場合には、次に、タッチ処理（２）を行う（Ｓ６９）。ここでは、タッチ場所に応じて、項目変更または撮影パラメータ変更を行う。このタッチ処理（２）の詳しい動作については、図９を用いて後述する。
【００８３】
タッチ処理（２）をおこなうと、またはステップＳ６７における判定の結果、タッチがない場合には、次に、レリーズ釦１１の半押し、またはＯＫ釦１５の押下げ、またはタイムアウトか否かの判定を行う（Ｓ７１）。ここでは、ステップＳ２９と同様に、撮影パラメータの変更や、ステップＳ２７における項目の変更等は、レリーズ釦１１の半押し操作またはＯＫ釦１５が操作された場合に決定される。レリーズ釦１１またはＯＫ釦１５が操作されなかった場合、またはアイセンサ検知がないと最初に判定された時点から所定時間が経過していない場合には、ステップＳ６７に戻り、ステップＳ６７〜Ｓ７１を繰り返し実行する。なお、本実施形態においても、レリーズ釦およびＯＫ釦で決定していたが、決定用の操作部材としてはこれらに限らず、他の操作部材でもよく、またレリーズ釦およびＯＫ釦のいずれか１つだけでもよい。また、操作部材の操作に限らず、撮影パラメータの変更時点で確定するようにしてもよい。
【００８４】
ステップＳ７１における判定の結果がＮｏであった場合には、項目カーソルの表示をオフし（Ｓ３１）、タッチ操作の無効化を行う（Ｓ３３）。カーソルが表示されてから所定時間が経過したか、またはレリーズ釦１１またはＯＫ釦１５の操作によって項目や撮影パラメータが決定されたことから、項目カーソルの表示をオフとし、またタッチ操作の無効化を行う。タッチ操作の無効化を行うと、ステップＳ１に戻る。
【００８５】
次に、ステップＳ６５のタッチ処理（１）の詳しい動作について、図８を用いて説明する。タッチ処理（１）のフローに入ると、まず、タッチの種類を判定する（Ｓ８１）。ここでは、タッチ操作部１１５Ａからの検知出力に基づいて、シングルタップ、ダブルタップ、またはタッチ＆ドラッグのいずれであるかを判定する。
【００８６】
ステップＳ８１における判定の結果、タッチの種類がシングルタップであった場合には、次に、ステップＳ１７（図５参照）と同様に、項目カーソル表示をオンとする（Ｓ８３）ここでは、カメラ制御画面で表示される項目を選択するためのカーソル１１５ａの表示をオンとする。
【００８７】
一方、ステップＳ８１における判定の結果、タッチの種類がダブルタップ又はタッチ＆ドラッグであった場合には、ステップＳ８３と同様に、項目カーソル表示をオンとする（Ｓ８５）。続いて、ステップＳ４５（図６参照）と同様に、撮影パラメータ列表示を行う（Ｓ８７）。ステップＳ８３において項目カーソル表示をオンとすると、またはステップＳ８７において撮影パラメータ列表示を行うと、元のフローに戻る。
【００８８】
ここで、ダブルタップのタップ間隔は背景技術の欄において、（２）〜（５）で例示したような場合が発生しないような時間間隔に設定しておく必要がある。このタッチ処理（１）でのタッチ＆ドラッグはダブルタップが不自由な人のためのもので、項目をタップし、そのまま図３に示す表示部の撮影パラメータ列１１５ｔまでドラッグする操作とする。このようなダブルタップやタッチ＆ドラッグは意図的でないと発生しない操作であり、かつタッチ操作の簡便さを損なわないので、上述した（２）〜（５）で例示したような場合の誤操作を防止し、タッチ操作の利便性を保持するという効果を奏する。
【００８９】
次に、ステップＳ６９（図７参照）におけるタッチ処理（２）の詳しい動作について、図９を用いて説明する。タッチ処理（２）のフローに入ると、まず、タッチ場所がどこかを判定する（Ｓ１０１）。ここでは、タッチ操作部１１５Ａからの検知出力に基づいて、タッチ場所が、項目部（図３の例では、符号１１５ｃ〜１１５ｓ）であるか、撮影パラメータ列部（図３の例では、撮影パラメータ表示列１１５ｔ）であるか否かを判定する。
【００９０】
ステップＳ１０１における判定の結果、タッチ場所が項目部であった場合には、項目カーソル移動を行う（Ｓ１０３）。ここでは、タッチされた位置に対応する項目にカーソルを移動する。
【００９１】
項目カーソル移動を行うと、次に、ステップＳ２１（図５参照）と同様に、ダイヤル操作がなされたか否かを判定する（Ｓ１０５）。カーソル移動によって選択中となった項目について、撮影パラメータを変更したい場合には、ユーザはダイヤル操作を行う。そこで、このステップでは、メインダイヤル１２またはサブダイヤル１３が回転操作されたか否かを判定する。
【００９２】
ステップＳ１０５における判定の結果、ダイヤル操作がなされた場合には、次に、ステップＳ２３（図５参照）と同様に、撮影パラメータ変更を行う（Ｓ１０７）。ここでは、ダイヤル操作に応じて、撮影パラメータが順次、変更される。
【００９３】
ステップＳ１０１における判定の結果、タッチ場所が撮影パラメータ列部であった場合には、次に、ステップＳ４９（図６参照）と同様に、タッチの種類がシングルタップであるか、タッチ＆ドラッグのいずれであるかを判定する（Ｓ１１１）。
【００９４】
ステップＳ１１１における判定の結果、シングルタップであった場合には、ステップＳ５１（図６参照）と同様に、撮影パラメータ変更を行う（Ｓ１１３）。ここでは、タッチ操作部１１５Ａからの検知出力に基づいて、ユーザがタッチした撮影パラメータに変更する。
【００９５】
一方、ステップＳ１１１おける判定の結果、タッチ＆ドラッグであった場合には、ステップＳ５３と同様に、撮影パラメータ列のページ送りを行う（Ｓ１１５）。ここでは、隠れている撮影パラメータを、タッチ＆ドラッグによってページ送りを行って表示させる。
【００９６】
ステップＳ１０７において撮影パラメータの変更を行うと、またはステップＳ１０５における判定の結果、ダイヤル操作がなかった場合には、またはステップＳ１１３において撮影パラメータ変更を行うと、またはステップＳ１１５において撮影パラメータ列のページ送りを行うと、タッチ処理（２）を終了し、元のフローに戻る。
【００９７】
このように、第２実施形態においては、タッチ操作を行うと、項目の変更許可を行っている。すなわち、前述した第１実施形態においては、項目の変更許可をＯＫ釦１５の操作によって行っていた。これに対して、第２実施形態においては、ステップＳ６３（図７参照）の判定の結果、タッチ処理がなされたと判定されると、項目の変更許可がなされ、タッチ処理（１）のフローにおいて、項目カーソル表示がオンとなる。
【００９８】
また、本実施形態においては、項目の変更許可を得るためのタッチ操作において、シングルタップの場合には項目変更のみ、またダブルタップの場合には項目変更に加えて撮影パラメータの変更も可能となる。前述したように、ダブルタップはユーザが意図的に実行する場合以外にはないタイミングで叩かれることから、誤操作されるおそれが少ない。タッチ＆ドラッグも同様である。そこで、本実施形態においては、ダブルタップされた場合、所定のタッチ＆ドラッグ操作がなされた場合には、撮影パラメータの変更も許可するようにしている。
【００９９】
また、本実施形態においては、タップ操作としてダブルタップを行った場合には、迅速に撮影パラメータ変更を行うことができる。
【０１００】
また、本実施形態は、複数種類の項目（例えば、図３に示す符号１１５ｄ〜１１５ｓの項目）について、現在の設定情報を表示する表示手段（カメラ制御画面を表示する表示部１１５）と、項目の設定内容を変更可能な状態に設定する設定内容変更許可手段（システム制御部１１６、図７のＳ６３におけるタッチ有りの判定）と、設定内容変更許可手段に応答して変更可能になった項目を表示手段に指示し、周囲と異なる表示形態で表示する変更項目表示手段（システム制御部１１６、図８のＳ８３、Ｓ８５における項目カーソル表示オン）と、表示手段の表示画面に対するタッチ状態を検知するタッチ検知手段（タッチ操作部１１５Ａ）と、タッチ検知手段の検知結果に応答して変更項目表示手段によって周囲と異なる表示形態で表示された変更項目の位置を変更する位置変更手段（システム制御部１１６、図７のＳ６９のタッチ処理（２）、図９のＳ１０３のカーソル移動）を備えている。
【０１０１】
本実施形態においては、タッチ処理によって項目が選択されるため、背景技術の欄において（２）〜（５）で例示したようなユーザがファインダを覗いていない場合に、項目が誤選択される可能性がある。しかし誤選択されても、Ｓ７１（図７）において決定されるまでは、カメラ機能として決定（確定）していないので実害が生ずることがなく、上述の様々な誤操作を防止することができる。また、タップ操作によって直ちに項目内容を変更することができるので、特許文献５に比較し、迅速に設定を行うことができる。
【０１０２】
また、本実施形態においても、周囲と異なる表示形態で表示された変更項目の設定内容をダイヤル操作に応じて変更する設定内容変更手段（システム制御部１１６、図９のＳ１０５のダイヤル操作判定、Ｓ１０７の撮影パラメータ変更）を備えている。このように撮影パラメータは操作部材によって設定するようにしており、誤操作のおそれが少ない。
【０１０３】
また、本実施形態においては、周囲と異なる表示形態で表示された変更項目に関して選択可能な複数の選択肢（撮影パラメータ表示列１１５ｔ）を表示する選択肢表示手段（カメラ制御画面中に撮影パラメータ表示列１１５ｔを表示する表示部１１５）と、選択肢表示手段によって選択された複数の選択肢の中から、タッチ検知手段の検知結果に応答して選択肢を選択する選択肢選択手段（システム制御部１１６、図９のＳ１１３）を備えている。このように、撮影パラメータをタッチ操作によって選択することができるので、簡単かつ迅速にパラメータ設定を行うことができる。
【０１０４】
また、本実施形態においては、設定内容変更許可手段は、タッチ検知手段によって表示画面のダブルタップ操作を検知した際に（図７のＳ６３、Ｓ６５、図８のＳ８１）、上記項目の設定内容を変更可能としている（図８のＳ８５）。ダブルタップ操作は、通常の動作では生ぜず、ユーザが意図的にタップした際のみ生ずる。このため、誤操作で項目が設定変更される可能性を低くすることができる。
【０１０５】
また、本実施形態においては、設定内容変更許可手段は、タッチ検知手段によって表示画面のタッチ＆ドラッグ操作を検知した際に（図７のＳ６３、Ｓ６５、図８のＳ８１）、項目の設定内容を変更可能としている（図８のＳ８５）。タッチ＆ドラッグ操作は、通常の動作では生ぜず、ユーザが意図的にタップした際のみ生ずる。このため、誤操作で項目が設定変更される可能性を低くすることができる。
【０１０６】
以上説明したように、本発明の各実施形態においては、複数種類の項目を選択するために設定内容変更許可手段によって許可してから、撮影パラメータ（選択肢）を選択するようにしている。このため、撮影パラメータ（選択肢）が、誤タッチ操作によって設定されることがなく、カメラ撮影操作に付随するタッチ誤操作を防止することができる。
【０１０７】
また、本発明の各実施形態においては、ファインダ接眼部（接眼部２１）を介して被写体像を観察可能なファインダ手段（電子ファインダ１２１）と、ファインダ接眼部に物体が接近したことを検知する接眼検知手段（アイセンサ１２２、図５および図７のＳ３）と、接眼検知手段によって物体が接近したことを検知した際には、タッチ操作の受け付けを禁止する禁止手段（システム制御部１１６、図５および図７のＳ５）を備えている。このため、ユーザがファインダ手段を観察する際に、誤って表示画面をタッチ操作することを防止することができる。
【０１０８】
なお、本発明の各実施形態においては、ファインダ手段として、電子ファインダ１２１を設けていた。しかし、電子ファインダに限らず、光学ファインダを設けるようにしても勿論かまわない。また、表示部１１５は、カメラ本体の背面に配置していたが、これに限らず、側面等、他の位置に配置するようしても勿論かまわない。
【０１０９】
また、本発明の各実施形態においては、撮像装置として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話、スマートフォーンや携帯情報端末（ＰＤＡ：Personal Digital Assist）、ゲーム機器等に内蔵されるカメラでも構わない。いずれにしても、タッチパネル式の表示部を有する撮像装置であれば、本発明を適用することができる。
【０１１０】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【０１１１】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１１２】
１１・・・レリーズ釦、１３・・・ダイヤル、１５・・・ＯＫ釦、１７・・・十字釦、１９・・・パワースイッチ、２１・・・接眼部、１００・・・カメラ、１０１・・・撮影レンズ、１０２・・・レンズ制御部、１０３・・・絞り機構、１０４・・・絞り制御部、１０６・・・モニタ引出し回転検出部、１０７・・・撮像素子、１０８・・・撮像制御部、１０９・・・Ａ／Ｄ変換部、１１０・・・メモリ、１１１・・・画像処理部、１１２・・・露出制御部、１１３・・・ＡＦ処理部、１１４・・・外部メモリ、１１５・・・表示部、１１５Ａ・・・タッチ操作部、１１５ａ・・・カーソル、１１５ｔ・・・撮影パラメータ表示列、１１６・・・システム制御部、１１７・・・操作部、１１８・・・不揮発性メモリ、１１９・・・電源部、１２０・・・電源制御部、１２１・・・電子ファインダ、１２２・・・アイセンサ、１３１・・・フラッシュ制御部、１３２・・・フラッシュ充電部、１３３・・・フラッシュ発光部
【図１】
0005959215.tif 000002
【図２】
0005959215.tif 000003
【図３】
0005959215.tif 000004
【図４】
0005959215.tif 000005
【図５】
0005959215.tif 000006
【図６】
0005959215.tif 000007
【図７】
0005959215.tif 000008
【図８】
0005959215.tif 000009
【図９】
0005959215.tif 000010